(57)【要約】【課題】小型化できる気流発生装置用電源を提供する。【解決手段】気流発生装置用電源は、風力発電装置の翼に設けられる気流発生装置に交番電圧を印加する電源に関する。気流発生装置用電源は、インバータ、トランス、および切替器を有する。インバータは、交番電圧を発生する。トランスは、インバータに対して複数設けられ、インバータが発生する交番電圧が入力され、これよりも高い電圧値を有する交番電圧を発生する。切替器は、インバータおよびトランスが接続され、インバータから入力される交番電圧を特定のトランスに出力する。【選択図】図３
2017008834.tif 000002
【特許請求の範囲】
【請求項１】
風力発電装置の翼に設けられる気流発生装置に交番電圧を印加する電源であって、
交番電圧を発生するインバータと、
前記インバータが発生する交番電圧が入力され、これよりも高い電圧値を有する交番電圧を発生する複数のトランスと、
前記インバータおよび前記トランスが接続され、前記インバータから入力される交番電圧を前記トランスの中から選ばれる特定のトランスに出力する切替器と、
を有することを特徴とする気流発生装置用電源。
【請求項２】
前記インバータ、前記トランス、および前記切替器は、前記風力発電装置の回転部に設けられていることを特徴とする請求項１記載の気流発生装置用電源。
【請求項３】
前記気流発生装置は、前記翼の長手方向に複数設けられていることを特徴とする請求項１または２記載の気流発生装置用電源。
【請求項４】
前記インバータおよび前記切替器は、前記風力発電装置にそれぞれ１個設けられ、
前記トランスは、前記気流発生装置毎に設けられている
ことを特徴とする請求項３記載の気流発生装置用電源。
【請求項５】
前記インバータおよび前記切替器は、前記風力発電装置にそれぞれ１個設けられ、
前記トランスは、前記翼における長手方向の位置が同等となる気流発生装置からなる群毎に設けられている
ことを特徴とする請求項３記載の気流発生装置用電源。
【請求項６】
前記インバータおよび前記切替器は、前記翼毎に設けられ、
前記トランスは、前記気流発生装置毎に設けられている
ことを特徴とする請求項３記載の気流発生装置用電源。
【請求項７】
請求項１乃至６のいずれか１項記載の気流発生装置用電源を有する風力発電装置。
【発明の詳細な説明】
【技術分野】
【０００１】
本発明の実施形態は、気流発生装置用電源および風力発電装置に関する。
【背景技術】
【０００２】
風力発電装置については、風力、風向の変化により発電効率が低下することがある。また、風力発電装置については、発電時に騒音が発生することがある。このような発電効率の低下および騒音の発生を抑制するために、風力発電装置の翼に気流発生装置を設けることが検討されている。気流発生装置は、誘電体を挟持する一対の電極からなり、この一対の電極に交番電圧が印加されることによりプラズマ気流を発生する。このプラズマ気流により、風力発電装置における発電効率の低下および騒音の発生が抑制される。
【０００３】
図１３は、従来の風力発電装置を示したものである。風力発電装置１００においては、例えば、翼１１０に気流発生装置１２０が複数設けられる。通常、気流発生装置１２０毎に気流発生装置用電源１３０が設けられる。
【０００４】
気流発生装置用電源１３０は、インバータ１３１およびトランス１３２からなる。インバータ１３１は、図示しない外部電源から入力される交番電圧の周波数を気流発生装置１２０に最適な周波数へと変換する。トランス１３２は、インバータ１３１から入力される交番電圧の電圧値を気流発生装置１２０に最適な電圧値へと変換する。
【先行技術文献】
【特許文献】
【０００５】
【特許文献１】特開２００８−０２５４３４号公報
【発明の概要】
【発明が解決しようとする課題】
【０００６】
風力発電装置１００においては、翼１１０の大型化により発電効率を向上させることができる。しかし、翼１１０の大型化に伴い、これに設置される気流発生装置１２０の個数が増加し、これにより気流発生装置用電源１３０の個数も増加する。風力発電装置１００においては、気流発生装置用電源１３０の設置場所および設置面積が制限されることから、気流発生装置用電源１３０の小型化が求められている。
【０００７】
本発明が解決しようとする課題は、小型化できる気流発生装置用電源を提供することである。
【課題を解決するための手段】
【０００８】
実施形態の気流発生装置用電源は、風力発電装置の翼に設けられる気流発生装置に交番電圧を印加する電源に関する。実施形態の気流発生装置用電源は、インバータ、トランス、および切替器を有する。インバータは、交番電圧を発生する。トランスは、インバータに対して複数設けられ、インバータが発生する交番電圧が入力され、これよりも高い電圧値を有する交番電圧を発生する。切替器は、インバータおよびトランスが接続され、インバータから入力される交番電圧を特定のトランスに出力する。
【図面の簡単な説明】
【０００９】
【図１】第１の実施形態における風力発電装置を示す斜視図である。
【図２】第１の実施形態における気流発生装置を示す断面図である。
【図３】第１の実施形態における気流発生装置用電源を示す図である。
【図４】第１の実施形態におけるインバータを示す図である。
【図５】第１の実施形態における気流発生装置用電源の取り付け方法を示す図である。
【図６】第１の実施形態における切替器のタイミングチャートを示す図である。
【図７】第１の実施形態における気流発生装置に印加される交番電圧の状態を示す図である。
【図８】第１の実施形態における切替器のタイミングチャートの他の例を示す図である。
【図９】第２の実施形態における気流発生装置用電源を示す図である。
【図１０】第２の実施形態における切替器のタイミングチャートを示す図である。
【図１１】第３の実施形態における気流発生装置用電源を示す図である。
【図１２】第３の実施形態における切替器のタイミングチャートを示す図である。
【図１３】従来の風力発電装置を示す図である。
【発明を実施するための形態】
【００１０】
（第１の実施形態）
図１は、風力発電装置を示す斜視図である。図２は、気流発生装置を示す断面図である。図３は、気流発生装置用電源を示す図である。図４は、インバータを示す図である。図５は、気流発生装置用電源の取り付け方法を示す図である。図６は、切替器のタイミングチャートを示す図である。図７は、気流発生装置に印加される交番電圧の状態を示す図である。
【００１１】
図１に示すように、風力発電装置１０は、地面に設置されたタワー１１を有する。タワー１１の頂部には、発電機などを収容するナセル１２が設けられている。ナセル１２の上部には、風の風向や速度を計測する風向風速計１３が設けられている。
【００１２】
ナセル１２の風上側には、ロータ１４が設けられている。ロータ１４は、３枚の翼１５を有する。翼１５は、ナセル１２から突出する発電機の回転軸１２１（図５）に支持されている。翼１５の前縁には、翼端部から翼根部へと向かって、気流発生装置１６が３個設けられている。
【００１３】
図２に示すように、気流発生装置１６は、第１の電極１６１、この第１の電極１６１に離間して配置される第２の電極１６２、およびこれらの間に少なくとも配置される誘電体１６３を有する。誘電体１６３を構成する誘電材料は、使用環境などに応じて、公知の固体状の誘電材料の中から適宜選択される。気流発生装置１６においては、第１の電極１６１および第２の電極１６２に交番電圧が印加されることにより、第１の電極１６１側から第２の電極１６２側へと向かって流れるプラズマ気流が発生する。
【００１４】
図３に示すように、気流発生装置用電源２０は、インバータ２１、切替器２２、およびトランス２３を有する。
【００１５】
インバータ２１は、風力発電装置１０に１個設けられる。インバータ２１においては、風力発電装置１０の外部に配置される外部電源から交番電圧が入力され、この交番電圧の周波数を気流発生装置１６に最適な周波数へと変調する。通常、インバータ２１においては、外部電源から入力される交番電圧の周波数よりも高い周波数の交番電圧を出力する。インバータ２１が出力する交番電圧の波形としては、正極性、負極性、正負の両極性などのパルス状、正弦波状、断続正弦波状などが挙げられ、特に制限されない。インバータ２１としては、特に、出力する交番電圧の周波数を随時変更できるものが好ましい。
【００１６】
図４に示すように、インバータ２１は、例えば、ＡＣ／ＤＣ変換部２１１および高周波発生部２１２を有する。
【００１７】
ＡＣ／ＤＣ変換部２１１は、交流電圧（ＡＣ）を直流電圧（ＤＣ）に変換する。 ＡＣ／ＤＣ変換部２１１では、図示しないダイオードなどにより、交流電圧（ＡＣ）が直流電圧（ＤＣ）に変換される。
【００１８】
高周波発生部２１２は、ＡＣ／ＤＣ変換部２１１により変換された直流電圧を使用して、外部電源から入力される交番電圧の周波数よりも高い周波数を有する交番電圧を出力する。交番電圧は、例えば、ＩＧＢT（絶縁ゲート型バイポーラトランジスタ）、ＦＥＴ（電界効果トランジスタ）などのスイッチングにより発生される。交番電圧の周波数は、通常、１〜２０ｋＨｚ程度が好ましい。
【００１９】
トランス２３は、気流発生装置１６毎に設けられる。具体的には、翼１５ａの気流発生装置１６ａ、１６ｂ、１６ｃに対して、トランス２３ａ、２３ｂ、２３ｃが設けられる。同様に、翼１５ｂの気流発生装置１６ｄ、１６ｅ、１６ｆに対して、トランス２３ｄ、２３ｅ、２３ｆが設けられ、翼１５ｃの気流発生装置１６ｇ、１６ｈ、１６ｉに対して、トランス２３ｇ、２３ｈ、２３ｉが設けられる。
【００２０】
トランス２３は、インバータ２１が発生する交番電圧が入力され、これよりも高い電圧値を有する交番電圧を出力する。出力される交番電圧の電圧値は、通常、数ｋＶが好ましい。
【００２１】
インバータ２１およびトランス２３は切替器２２を介して接続される。切替器２２は、風力発電装置１０に１個設けられ、インバータ２１から入力される交番電圧をトランス２３の中から選ばれる特定のトランス２３に出力する。
【００２２】
切替器２２は、例えば、トランス２３と同数のスイッチ素子を内蔵し、インバータ２１と個々のトランス２３との導通を個別に制御する。このような切替器２２によれば、個々の気流発生装置１６に交番電圧が印加される時間、および交番電圧が印加される周期を調整でき、個々の気流発生装置１６を効果的に駆動できる。スイッチ素子の制御は、例えば、切替器２２に内蔵された制御部により行われる。
【００２３】
図５に示すように、気流発生装置用電源２０は、例えば、ノーズコーン１７の内部に設けられる。インバータ２１、切替器２２は、例えば、発電機の回転軸１２１の端部に設けられる。トランス２３は、例えば、翼１５の翼根部側の端面に設けられる。なお、翼１５には、例えば、気流発生装置１６と同数のトランス２３が設けられる。
【００２４】
インバータ２１と切替器２２との間、切替器２２とトランス２３との間は、接続導線２４により接続される。インバータ２１には、風力発電装置１０の外部に配置される外部電源から図示しない接続導線により交番電圧が供給される。風力発電装置１０における回転部と非回転部との間、例えば、発電機の回転軸１２１とこれ以外の部分との間における交番電圧の供給は、例えば、スリップリングなどの摺動型の伝達部を介して行われる。
【００２５】
ノーズコーン１７などの風力発電装置１０の回転部に気流発生装置用電源２０が設けられることにより、高周波かつ高圧の交番電圧が摺動型の伝達部に印加されることを抑制できる。これにより、気流発生装置１６に安定して交番電圧が印加され、かつノイズの発生も抑制される。
【００２６】
なお、気流発生装置用電源２０は、ノーズコーン１７の外部、例えば、翼１５の内部または外部に設けられてもよい。また、気流発生装置用電源２０は、翼１５、ノーズコーン１７などの回転部に設けられることが好ましいが、トランス２３以外のもの、すなわちインバータ２１および切替器２２については回転部以外に設けられてもよい。回転部にトランス２３が設けられていれば、摺動型の伝達部に高い電圧を有する交番電圧が印加されないことから、気流発生装置１６に安定して交番電圧が印加され、かつノイズの発生も抑制される。
【００２７】
図６は、切替器２２のタイミングチャートを示す図である。
なお、スイッチ素子ＳＷａ〜ＳＷｉは切替器２２に内蔵されており、スイッチ素子ＳＷａにトランス２３ａが接続され、スイッチ素子ＳＷｂにトランス２３ｂが接続され、以下同様にして、スイッチ素子ＳＷｃ〜ＳＷｉにトランス２３ｃ〜２３ｉが接続されている。
【００２８】
スイッチ素子ＳＷａ〜ＳＷｉは、例えば、この順にＯＮ状態にされる。スイッチ素子ＳＷｉがＯＮ状態にされた後、再びスイッチ素子ＳＷａ〜ＳＷｉがこの順にＯＮ状態にされる。このようにしてインバータ２１と導通するトランス２３が切り替えられることで、１個のインバータ２１により全てのトランス２３に交番電圧が出力される。すなわち、１個のインバータ２１により全ての気流発生装置１６に交番電圧が印加される。
【００２９】
図７は、気流発生装置１６に印加される交番電圧の状態を示したものである。気流発生装置１６には、交番電圧がパルス状に周期的に印加される。交番電圧が印加される周期（Ｔ）に対して実際に交番電圧が印加される時間であるパルス幅（τ）の比（デューティ比、τ／Ｔ）は、１〜５％程度である。
【００３０】
デューティ比が１〜５％程度であることから、インバータ２１が実際に個々の気流発生装置１６に交番電圧を印加する時間は短い。このようなことから、インバータ２１と導通するトランス２３が切り替えられることで、１個のインバータ２１により、全てのトランス２３に交番電圧を出力でき、結果として全ての気流発生装置１６に交番電圧を印加できる。
【００３１】
気流発生装置１６には、最適な周波数（Ｆ）の交番電圧が印加されることが好ましい。最適な周波数（Ｆ）は、下記式（１）により求められる。
Ｆ＝Ｓｔ×（２πｎ／６０）×（Ｒｎ／Ｃｎ）  ……（１）
【００３２】
式中、Ｓｔはストロハル数、ｎは回転数（ｒｐｍ）、Ｒｎは代表半径、Ｃｎは代表コード長を表す。代表半径（Ｒｎ）は、気流発生装置１６の代表半径である。代表コード長（Ｃｎ）は、代表半径（Ｒｎ）における翼１５のコード長である。
【００３３】
式（１）から明らかなように、交番電圧の周波数（Ｆ）は、代表半径（Ｒｎ）および代表コード長（Ｃｎ）により変化する。すなわち、気流発生装置１６の位置、特に翼１５の長手方向における位置により変化する。このため、インバータ２１は、切替器２２の切り替え、特に導通先である気流発生装置１６の位置（翼１５の長手方向における位置）が変化するときの切り替えに合わせて、出力する交番電圧の周波数を変更することが好ましい。
【００３４】
例えば、図３に示されるものにおいて、翼１５ａの長手方向における最も外側の段を１段目とした場合、１段目の気流発生装置１６ａ、２段目の気流発生装置１６ｂ、３段目の気流発生装置１６ｃは、翼１５の長手方向における位置が異なる。このため、このような順に交番電圧を印加する場合には、インバータ２１が発生する交番電圧の周波数を変更することが好ましい。
【００３５】
同様に、翼１５ｂの１段目の気流発生装置１６ｄ、２段目の気流発生装置１６ｅ、３段目の気流発生装置１６ｆの順に交番電圧を印加する場合、および翼１５ｃの１段目の気流発生装置１６ｇ、２段目の気流発生装置１６ｈ、３段目の気流発生装置１６ｉの順に交番電圧を印加する場合についても、インバータ２１が発生する交番電圧の周波数を変化させることが好ましい。
【００３６】
なお、１段目の気流発生装置１６ａ、１６ｄ、１６ｇは、通常、代表半径（Ｒｎ）および代表コード長（Ｃｎ）が同一であることから、これらに印加される交番電圧の周波数は同一にできる。同様に、２段目の気流発生装置１６ｂ、１６ｅ、１６ｈに印加される交番電圧の周波数は同一にでき、３段目の気流発生装置１６ｃ、１６ｆ、１６ｉに印加される交番電圧の周波数は同一にできる。
【００３７】
上記したように交番電圧の周波数が同一である気流発生装置１６については、同時に交番電圧が印加されてもよい。例えば、図８に示すように、１段目の気流発生装置１６ａ、１６ｄ、１６ｇに対応するスイッチ素子ＳＷａ、ＳＷｄ、ＳＷｇが同時にＯＮ状態にされた後、２段目の気流発生装置１６ｂ、１６ｅ、１６ｈに対応するスイッチ素子ＳＷｂ、ＳＷｅ、ＳＷｈが同時にＯＮ状態にされ、さらに３段目の気流発生装置１６ｃ、１６ｆ、１６ｉに対応するスイッチ素子ＳＷｃ、ＳＷｆ、ＳＷｉが同時にＯＮ状態にされてもよい。
【００３８】
第１の実施形態の気流発生装置用電源２０によれば、１個のインバータ２１により全ての気流発生装置１６に交番電圧が印加されることから、従来のように気流発生装置毎にインバータが設けられる場合に比べて、インバータ２１の個数が減少する。これにより、気流発生装置用電源２０が小型化される。
【００３９】
なお、第１の実施形態においては、スイッチ素子ＳＷａ〜ＳＷｉがこの順にＯＮ状態にされる単位が繰り返して行われる場合について説明したが、繰り返しの単位内における順は必要に応じて変更できる。また、繰り返しの単位としては、２種以上が採用されてもよい。通常、繰り返しの単位内では、スイッチ素子ＳＷａ〜ＳＷｉが少なくとも１回はＯＮ状態にされることが好ましい。
【００４０】
（第２の実施形態）
次に、第２の実施形態における風力発電装置について説明する。
なお、第２の実施形態の風力発電装置については、第１の実施形態の風力発電装置とは気流発生装置用電源の構成のみが異なることから、気流発生装置用電源についてのみ説明する。
【００４１】
図９は、第２の実施形態における気流発生装置用電源を示す図である。
第２の実施形態における気流発生装置用電源４０においては、翼１５における長手方向の位置が同等となる気流発生装置１６からなる群毎にトランス４３が設けられている。
【００４２】
具体的には、１段目の気流発生装置１６の群、すなわち、翼１５ａの気流発生装置１６ａ、翼１５ｂの気流発生装置１６ｄ、および翼１５ｃの気流発生装置１６ｇからなる群に対して、１個のトランス４３ａが設けられている。
【００４３】
同様に、２段目の気流発生装置１６の群、すなわち、翼１５ａの気流発生装置１６ｂ、翼１５ｂの気流発生装置１６ｅ、および翼１５ｃの気流発生装置１６ｈからなる群に対して、１個のトランス４３ｂが設けられている。また、３段目の気流発生装置１６の群、すなわち、翼１５ａの気流発生装置１６ｃ、翼１５ｂの気流発生装置１６ｆ、および翼１５ｃの気流発生装置１６ｉからなる群に対して、１個のトランス４３ｃが設けられている。
【００４４】
３個のトランス４３に対して、１個のインバータ４１および１個の切替器４２が設けられている。切替器４２は、例えば、トランス４３と同数のスイッチ素子を内蔵し、インバータ４１と個々のトランス４３との導通を個別に制御する。
【００４５】
図１０は、切替器４２のタイミングチャートを示す図である。
なお、スイッチ素子ＳＷａ〜ＳＷｃは切替器４２に内蔵されており、スイッチ素子ＳＷａにトランス４３ａが接続され、スイッチ素子ＳＷｂにトランス４３ｂが接続され、スイッチ素子ＳＷｃにトランス４３ｃが接続されている。
【００４６】
スイッチ素子ＳＷａ〜ＳＷｃは、例えば、この順にＯＮ状態にされる。スイッチ素子ＳＷｃがＯＮ状態にされた後、再びスイッチ素子ＳＷａ〜ＳＷｃがこの順にＯＮ状態にされる。このようにインバータ４１と導通するトランス４３が切り替えられることにより、１個のインバータ４１により全てのトランス４３に交番電圧が出力される。すなわち、１個のインバータ４１により全ての気流発生装置１６に交番電圧が印加される。
【００４７】
第２の実施形態の気流発生装置用電源４０によれば、翼１５における長手方向の位置が同等となる気流発生装置１６からなる群毎にトランス４３が設けられることから、従来のように気流発生装置毎にトランスが設けられる場合に比べて、トランス４３の個数が減少する。これにより、気流発生装置用電源４０が小型化される。
【００４８】
なお、第２の実施形態においては、スイッチ素子ＳＷａ〜ＳＷｃがこの順にＯＮ状態にされる単位が繰り返して行われる場合を示したが、繰り返しの単位内における順は必要に応じて変更できる。また、繰り返しの単位としては、２種以上が採用されてもよい。通常、繰り返しの単位内では、スイッチ素子ＳＷａ〜ＳＷｃが少なくとも１回はＯＮ状態にされることが好ましい。
【００４９】
（第３の実施形態）
次に、第３の実施形態における風力発電装置について説明する。
なお、第３の実施形態の風力発電装置については、第１の実施形態の風力発電装置とは気流発生装置用電源の構成のみが異なることから、気流発生装置用電源についてのみ説明する。
【００５０】
図１１は、第３の実施形態における気流発生装置用電源を示す図である。
第３の実施形態における気流発生装置用電源５０においては、気流発生装置１６毎にトランス５３が設けられている。また、翼１５毎にインバータ５１および切替器５２が設けられている。
【００５１】
具体的には、翼１５ａに関して、１個のインバータ５１ａ、１個の切替器５２ａ、および３個のトランス５３ａ、５３ｂ、５３ｃが設けられている。同様に、翼１５ｂに関して、１個のインバータ５１ｂ、１個の切替器５２ｂ、および３個のトランス５３ｄ、５３ｅ、５３ｆが設けられ、翼１５ｃに関して、１個のインバータ５１ｃ、１個の切替器５２ｃ、３個のトランス５３ｇ、５３ｈ、５３ｉが設けられている。なお、インバータ５１、切替器５２、トランス５３は、必ずしも翼自体に配置されている必要はなく、翼以外の部分に配置されてもよい。
【００５２】
個々の翼１５において、インバータ５１と３個のトランス５３とは切替器５２を介して接続される。切替器５２は、例えば、トランス５３と同数のスイッチ素子を内蔵するものであり、インバータ５１と個々のトランス５３との導通を個別に制御する。
【００５３】
図１２は、切替器５２のタイミングチャートを示す図である。
なお、スイッチ素子ＳＷａ〜ＳＷｃは、切替器５２ａに内蔵されるものであり、トランス５３ａ〜５３ｃに接続されている。スイッチ素子ＳＷｄ〜ＳＷｆは、切替器５２ｂに内蔵されるものであり、トランス５３ｄ、５３ｅ、５３ｆが接続されている。スイッチ素子ＳＷｇ、ＳＷｈ、ＳＷｉは、切替器５２ｃに内蔵されるものであり、トランス５３ｇ、５３ｈ、５３ｉが接続されている。
【００５４】
スイッチ素子ＳＷａ〜ＳＷｃは、例えば、この順にＯＮ状態にされる。スイッチ素子ＳＷｃがＯＮ状態にされた後、再びスイッチ素子ＳＷａ〜ＳＷｃがこの順にＯＮ状態にされる。同様に、スイッチ素子ＳＷｄ〜ＳＷｆは、例えば、この順にＯＮ状態にされるとともに、これが繰り返して行われる。スイッチ素子ＳＷｇ〜ＳＷｉは、例えば、この順にＯＮ状態にされるとともに、これが繰り返して行われる。
【００５５】
第３の実施形態の気流発生装置用電源５０によれば、翼１５毎にインバータ５１が設けられることから、従来のように気流発生装置毎にインバータが設けられる場合に比べて、インバータ５１の個数が減少する。これにより、気流発生装置用電源５０が小型化される。
【００５６】
なお、第３の実施形態においては、スイッチ素子ＳＷａ〜ＳＷｃがこの順にＯＮ状態にされる単位、スイッチ素子ＳＷｄ〜ＳＷｆがこの順にＯＮ状態にされる単位、スイッチ素子ＳＷｇ〜ＳＷｉがこの順にＯＮ状態にされる単位が繰り返して行われる場合を示したが、繰り返しの単位内における順は必要に応じて変更でき、スイッチ素子ＳＷａ〜ＳＷｃの群、スイッチ素子ＳＷｄ〜ＳＷｆの群、スイッチ素子ＳＷｇ〜ＳＷｉの群毎に独立して変更できる。
【００５７】
また、繰り返しの単位は２種以上が採用されてもよい。通常、スイッチ素子ＳＷａ〜ＳＷｃについての繰り返しの単位においては、スイッチ素子ＳＷａ〜ＳＷｃが少なくとも１回はＯＮ状態にされることが好ましく、スイッチ素子ＳＷｄ〜ＳＷｆについての繰り返しの単位においては、スイッチ素子ＳＷｄ〜ＳＷｆが少なくとも１回はＯＮ状態にされることが好ましく、スイッチ素子ＳＷｇ〜ＳＷｉについての繰り返しの単位においては、スイッチ素子ＳＷｇ〜ＳＷｉが少なくとも１回はＯＮ状態にされることが好ましい。
【００５８】
以上説明した少なくともひとつの実施形態によれば、インバータまたはトランスの数を減少させることにより、気流発生装置用電源を小型化できる。
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５９】
１０…風車、１１…タワー、１２…ナセル、１３…風向風速計、１４…ロータ、１５…翼、１６…気流発生装置、１７…ノーズコーン、２０…気流発生装置用電源、２１…インバータ、２２…切替器、２３…トランス、２４…接続導線、４０…気流発生装置用電源、４１…インバータ、４２…切替器、４３…トランス、５０…気流発生装置用電源、５１…インバータ、５２…切替器、５３…トランス、１６１…第１の電極、１６２…第２の電極、１６３…誘電体、２１１…ＡＣ／ＤＣ変換部、２１２…高周波発生部。
【図１】
2017008834.tif 000003
【図２】
2017008834.tif 000004
【図３】
2017008834.tif 000005
【図４】
2017008834.tif 000006
【図５】
2017008834.tif 000007
【図６】
2017008834.tif 000008
【図７】
2017008834.tif 000009
【図８】
2017008834.tif 000010
【図９】
2017008834.tif 000011
【図１０】
2017008834.tif 000012
【図１１】
2017008834.tif 000013
【図１２】
2017008834.tif 000014
【図１３】
2017008834.tif 000015